(57)【要約】【課題】脱水行程での停電後の再運転時の蓋開時の安全を確保する事。【解決手段】洗濯兼脱水槽７０の上部を覆う蓋５１と、蓋５１の開閉を検知する蓋開閉検知手段５５と、洗濯、すすぎ、脱水の各行程を逐次制御する制御手段５８と、洗濯兼脱水槽７０の回転数検知手段６６と、警報を発する警報手段６０と、停電が生じたことを記録する記録手段６２を備え、制御手段５８は、停電発生後、電源ＯＮされたときに記録手段６２から停電が検出されかつ、蓋開閉検知手段５５が蓋５１の開扉を検知したときに、洗濯兼脱水槽７０が停止するために必要な最長の時間より長い所定の時間、表示手段６０から警報を発するようにしたことにより、蓋を開いた場合に、使用者に、洗濯兼脱水槽が回転しており危険である、ということをより確実に喚起することができる。【選択図】図２
2010099164.tif 000002
【特許請求の範囲】
【請求項１】
水受け槽内に回転自在に配設した洗濯兼脱水槽と、前記洗濯兼脱水槽の上部を覆う蓋と、前記洗濯兼脱水槽を駆動するモータと、前記洗濯兼脱水槽の回転を制動するブレーキと、前記洗濯兼脱水槽の回転数を検知する回転数検知手段と、前記蓋の開閉を検知する蓋開閉検知手段と、洗濯、すすぎ、脱水の各行程を逐次制御する制御手段と、前記制御手段からの信号を受けて警報を発する警報手段と、前記制御手段から停電が生じたことを記録する記録手段とを備え、前記制御手段は、停電発生後、電源がＯＮされたときに前記記録手段から停電が検出されかつ、前記蓋開閉検知手段が前記蓋の開扉を検知したときに、前記洗濯兼脱水槽が停止するために必要な最長の時間より長い所定の時間、前記警報手段から警報を発するようにした洗濯機。
【請求項２】
制御手段は、停電が生じたことおよびブレーキに異常が発生したことを記録する記録手段を備え、前記制御手段は、停電発生後、電源ＯＮされたときに前記記録手段から停電とブレーキ異常が検出されかつ、前記蓋開閉検知手段が前記蓋の開扉を検知したときに、前記洗濯兼脱水槽が停止するために必要な最長の時間より長い所定の時間、前記警報手段から警報を発するようにした洗濯機。
【発明の詳細な説明】
【技術分野】
【０００１】
本発明は蓋が開扉したとき所定時間警報が発せられる洗濯機に関するものである。
【背景技術】
【０００２】
従来、この種の洗濯機は蓋を開けた時に洗濯兼脱水槽の回転数が危険範囲内の時は警報を発して、使用者に注意を喚起する構成が提案されている（例えば、特許文献１参照）。
【０００３】
図３は、特許文献１に記載された従来の洗濯機の断面図、図４は、同洗濯機の制御ブロック回路図を示すものであり、以下その構成について説明する。
【０００４】
図３に示すように、水受け槽１は、底部にパルセータ２を回転自在に配設した洗濯兼脱水槽（以下、脱水槽という）３を内包し、吊り棒４により洗濯機外枠５上部から吊り下げ防振支持されている。
【０００５】
水受け槽１の外底部に固着したモータ１３は、ベルト１４および減速機構兼クラッチ（以下、クラッチという）１５を介して、パルセータ２または脱水槽３を回転駆動する。クラッチ１５には脱水槽３の回転軸を固定するブレーキ１６を設けており、ギヤードモータ１７でブレーキのＯＮ―ＯＦＦが制御される。排水弁１８は水受け槽１内の洗濯液を排水し、給水弁１９は給水を行うための弁である。
【０００６】
蓋２０は、開閉自在に脱水槽３の上部を覆うもので、蓋２０に取り付けた磁石２４と制御装置２５に配した感磁素子２６により蓋２０の開閉を検知する蓋開閉検知構成を設けている。
【０００７】
また、洗濯機外枠５の上部前方に配置した制御装置２５は、図４に示す制御ブロック回路図のように構成しており、モータ１３、ギヤードモータ１７、排水弁１８、給水弁１９等を駆動して洗濯、すすぎ、脱水の各行程を逐次制御するとともに、前記蓋開閉検知構成の感磁素子２６からの信号の検知や、モータ１３からの逆起電力を検知しモータ回転数を演算する演算手段２８、使用者の操作手段３３、ＬＥＤ等による行程進捗の表示手段３４、ブザー等の吹鳴手段３５を備える。
【０００８】
電圧検知手段２７は、モータ１３の惰性回転時の逆起電力を検知し、その出力を演算手段２８に入力する。演算手段２８は、電圧検知手段２７の出力からモータ１３の回転数を検知するもので、電圧検知手段２７と演算手段２８とで、モータ１３、即ち脱水槽３の回転数を検知する回転数検知手段を構成している。なお、比較手段２９は、演算手段２８の出力と記憶手段３０に記憶された基準値とを比較し、その出力を制御手段３１に入力する。
【０００９】
上記構成において、洗濯、またはすすぎが終了すると、排水弁１８を開放し、水受け槽１内の洗濯液を排水する。排水が終了すると、ギヤードモータ１７に通電し、ブレーキ１６のレバーを引いてブレーキを緩め、脱水槽３を回転できる状態にする。つぎに、モータ１３に通電し、ベルト１４、クラッチ１５を介して脱水槽３を回転させ、脱水行程に入る。
【００１０】
脱水行程の途中または脱水行程のほぼ終了時に、使用者が蓋２０を開けた場合、感磁素子２６が作動し、制御装置２５からの制御によりギヤードモータ１７の通電を停止することによりブレーキ１６が作動し、脱水槽３の回転を急速に止める。
【００１１】
また、制御装置２５は、脱水槽３の回転数を検知し、使用者が蓋２０を開いた際に脱水槽３の回転数が危険な範囲にあるときは警報を発し、使用者に注意を喚起する制御を行い、特にブレーキ１６が故障している場合の危険報知に有効な構成を有する。
【特許文献１】特開平８−１５５１８８号公報
【発明の開示】
【発明が解決しようとする課題】
【００１２】
しかしながら、前記従来の洗濯機では、脱水行程の途中での停電により、電源がＯＦＦした場合には、制御が初期状態にリセットされてしまうので、その後に、電源が回復した際に、再度使用者が電源をＯＮし、かつ蓋２０を開けた場合、脱水槽３が回転していても警報は発しなかったため、脱水槽３が回転していることを認識することができず、危険な状態になるという課題があった。
【００１３】
ここで言及する停電とは、２〜３秒の時間で、制御装置の瞬間停電バックアップが機能せず、かつ比較的早く、例えば２０秒〜６０秒弱で電源が回復する場合である。
【００１４】
すなわち、ブレーキが故障の場合には脱水槽３の惰性回転は１〜２分継続する事が通常で、その間に、電源回復し使用者が電源をＯＮした場合、制御はリセットされており洗濯行程当初の状態であり、蓋を開いて洗濯衣類や洗剤を投入する状態であり、脱水槽３の惰性回転している警報は発しない構成であった。
【００１５】
本発明は、上記従来の課題を解決するもので、停電したことが記録され、蓋を開けたときは所定時間警報手段から警報を発し、使用者に注意を喚起し、安全な洗濯機を提供することを目的としている。
【課題を解決するための手段】
【００１６】
前記従来の課題を解決するために、本発明の洗濯機は、洗濯兼脱水槽の上部を覆う蓋と、前記蓋の開閉を検知する蓋開閉検知手段と、洗濯兼脱水槽の回転数検知手段と、洗濯、すすぎ、脱水の各行程を逐次制御する制御手段と、警報を発する警報手段と、停電が生じたことを記録する記録手段を備え、前記制御手段は、停電発生後、電源ＯＮされたときに前記記録手段から停電が検出されかつ、前記蓋開閉検知手段が前記蓋の開扉を検知したときに、前記洗濯兼脱水槽が停止するために必要な最長の時間より長い所定の時間、前記警報手段から警報を発するようにしたものである。これによって、蓋を開いた場合に、使用者に、洗濯兼脱水槽が回転しており危険である、ということをより確実に喚起することができる。
【発明の効果】
【００１７】
本発明の洗濯機によれば、停電発生後の電源ＯＮ時に蓋開閉検知手段が蓋の開扉を検知したとき、所定時間警報を発するので、使用者は確実に危険を感知することができ、洗濯兼脱水槽に手を入れて怪我をするという危険状態を確実に防止することができる。
【発明を実施するための最良の形態】
【００１８】
第１の発明は、水受け槽内に回転自在に配設した洗濯兼脱水槽と、前記洗濯兼脱水槽の上部を覆う蓋と、前記洗濯兼脱水槽を駆動するモータと、前記洗濯兼脱水槽の回転を制動するブレーキと、前記洗濯兼脱水槽の回転数を検知する回転数検知手段と、前記蓋の開閉を検知する蓋開閉検知手段と、洗濯、すすぎ、脱水の各行程を逐次制御する制御手段と、前記制御手段からの信号を受けて警報を発する警報手段と、前記制御手段から停電が生じたことを記録する記録手段を備え、前記制御手段は、停電発生後、電源ＯＮされたときに前記記録手段から停電が検出されかつ、前記蓋開閉検知手段が前記蓋の開扉を検知したと
きに、前記洗濯兼脱水槽が停止するために必要な最長の時間より長い所定の時間、前記警報手段から警報を発するようにしたことにより、脱水行程の途中での停電により、電源がＯＦＦした場合には、制御が初期状態にリセットされた状態でも、電源ＯＮ時に蓋開閉検知手段が蓋の開扉を検知したとき、洗濯兼脱水槽が回転し続けうる間、警報を発するので、使用者に確実に注意を喚起することにより、より安全に洗濯機を使用することができる。
【００１９】
第２の発明は、特に第１の発明の制御手段を、停電が生じたことおよびブレーキに異常が発生したことを記録する記録手段を備え、前記制御手段は、停電発生後、電源ＯＮされたときに前記記録手段から停電とブレーキ異常が検出されかつ、前記蓋開閉検知手段が前記蓋の開扉を検知したときに、前記洗濯兼脱水槽が停止するために必要な最長の時間より長い所定の時間、前記警報手段から警報を発するようにしたことにより、ブレーキが故障した状態で、かつ脱水行程の途中での停電にした場合でも洗濯兼脱水槽が回転し続けうる間、警報を発するので、使用者に確実に注意を喚起することにより、より安全に洗濯機を使用することができる。
【００２０】
以下、本発明の実施の形態について、図面を参照しながら説明する。なお、この実施の形態によって本発明が限定されるものではない。
【００２１】
（実施の形態１）
図１は、本発明の実施の形態１に係わる洗濯機の断面図を示し、図２は、同洗濯機の制御ブロック回路図を示す。
【００２２】
図１に示すように、底部に衣類攪拌用パルセータ６９を左右回転自在に配した洗濯兼脱水槽７０は、脱水回転自在に水受け槽７１の内部に構成される。
【００２３】
水受け槽７１の外底部にはモータ５６を固着し、モータ５６の回転は、ベルト７３および減速機構兼クラッチ（以下、クラッチという）７４を介して、パルセータ６９または洗濯兼脱水槽７０を回転駆動する。クラッチ７４には洗濯兼脱水槽７０の回転軸を制動するブレーキ７５を設けており、ギヤードモータ６３の作動で洗濯兼脱水槽７０の回転を制動するブレーキ７５のＯＮ−ＯＦＦが制御される。
【００２４】
洗濯機外枠５０上方に開閉自在に配した蓋５１には、その前端部に磁石５２を設け、一方制御装置５３内に感磁素子５４を磁石５２と相対するように設けている。感磁素子５４は、ホールＩＣなどで構成し、蓋５１に設けた磁石５２の磁力線により蓋５１の開閉を検知する蓋開閉検知手段５５を構成し、蓋５１の後端部には、蓋５１の開閉に連動するスイッチ６７を配置し機構的なスイッチのＯＮ−ＯＦＦによる第２の蓋開閉検知手段７６を構成している。
【００２５】
制御装置５３は、図２に示すように、モータ５６などの負荷を制御するパワースイッチング手段５７、マイコン等で構成された制御手段５８、制御手段５８に情報を入力する操作手段５９や感磁手段（感磁素子）５４、制御手段５８からの信号により動作する表示手段６０や吹鳴手段６１、制御手段５８にインプットされた情報を記憶する記録手段６２、を構成する。
【００２６】
パワースイッチング手段５７は、洗濯、すすぎ、脱水の各行程を逐次制御する制御手段５８の出力によりモータ５６、ギヤードモータ６３、排水弁６４、給水弁６５などの通電を制御する。
【００２７】
操作手段５９は、使用者が操作し所望の洗濯コース設定や運転開始、一時停止、などの
操作を入力をするものである。
【００２８】
感磁手段（感磁素子）５４は、蓋５１に設けた磁石５２の磁力線により蓋５１の開閉を検知し、その出力を制御手段５８に入力する。
【００２９】
表示手段６０は、ＬＥＤやＬＣＤ等による発光素子で、行程進捗の表示や各種情報の表示を行い、吹鳴手段６１は、ブザー等により、使用者に音感で情報を知らしめるものである。
【００３０】
記録手段６２は、不揮発性メモリー等で構成し、制御手段５８のマイコン等と情報記憶および発信の双方向伝達を行い、洗濯機の運転回数記録、異常履歴の記録や、停電が発生したことの記録等の制御手段５８に入力された情報を記録するとともに、記録状態に応じた制御を可能にしている。
【００３１】
回転数検知手段６６は、洗濯兼脱水槽７０の回転数を検知するために、洗濯兼脱水槽７０に回転連動しているモータ５６への通電が停止した後、モータの惰性回転による逆起電力の電圧を検知し、モータ回転数の検知から洗濯兼脱水槽７０の回転数を演算するものである。よってブレーキ７５が故障しているときなどに洗濯兼脱水槽７０が停止するまでに要する時間が長くなる事から、その信号を制御手段５８に伝達してブレーキ異常を検知する構成である。
【００３２】
また、表示手段６０と吹鳴手段６１は、動作状態の表示とともに異常時の報知をする警報手段の働きを兼務する。
【００３３】
制御手段５８は、洗濯、すすぎ、脱水の各行程を逐次制御するとともに、脱水行程において洗濯兼脱水槽７０が脱水回転しているときに、感磁素子５４により蓋５１が開けられたことを検知すると、洗濯兼脱水槽７０が回転中は、表示手段６０または吹鳴手段６１のいずれか一方または両方より警報の報知を発する。
【００３４】
上記構成において動作を説明すると、脱水中に停電が生じると電源が切れる際に、記録手段６２に停電が発生したことを記録する。また同時に制御手段５８に入力され、直ちにパワースイッチング手段５７を制御して、モータ５６への通電を停止（脱水通電停止後なら、そのまま）するとともに、ギヤードモータ６３の通電も停止してブレーキ７５を作動させて、洗濯兼脱水槽７０の回転にブレーキをかける。
【００３５】
ただし、洗濯兼脱水槽７０の脱水回転中に、電源を再度ＯＮし使用者が蓋５１を開けたとき、磁石５２が感磁素子５４から離れ、感磁素子５４への磁力線が規定値以下になると、感磁素子５４の出力がハイからローになり、蓋５１が開けられたことを検知する。
【００３６】
ここで言及する停電とは、２〜３秒の時間幅で制御装置５３の瞬間停電バックアップが機能せず、かつ比較的早く、例えば２０〜６０秒弱で電源が回復する場合である。
【００３７】
またここで記録手段６２に停電の履歴があった場合、または停電およびブレーキ異常の履歴があった場合、警報手段である表示手段６０および吹鳴手段６１は、制御手段５８からの信号を受け、洗濯兼脱水槽７０の回転数が所定の回転数（例えば安全に使用できる洗濯兼脱水槽７０の回転数である６０回転／分）以下になるまで、または洗濯兼脱水槽７０を停止するために必要な最長の時間より長く設定した所定の時間、動作状態の表示や異常時の報知を行い、警報を発する。
【００３８】
なお、洗濯兼脱水槽７０が停止するまでの時間は、洗濯兼脱水槽７０内の布量、脱水回
転数、ベルト７３のテンションの変動、洗濯兼脱水槽７０中の布の偏り、またはブレーキ７５の有無などにより変動する。したがって、ブレーキ７５が故障しているときなどに洗濯兼脱水槽７０が停止するまでに要する時間が長くなるが、警報を発する所定の時間は、これらの時間の中で最長の時間より長い時間に設定し、かかる所定時間はおよそ８０秒から１２０秒ほどであることが経験的に判かっており、警報を報知する時間とする。
【００３９】
なお、蓋５１が閉じられると、磁石５２が感磁素子５４に近づき、感磁素子５４ヘの磁力線が規定値以上になると、感磁素子５４の出力がローからハイに戻り、蓋５１が閉じられたことを検知する。
【００４０】
制御手段５８はこの検知を受け、警報手段からの警報を停止する。かかる構成により、使用者に蓋５１を閉じることを促し、より安全に洗濯機を使用することができる。
【００４１】
また、警報手段は、表示手段６０または吹鳴手段６１のいずれか一方または両方で構成し、制御手段５８は、吹鳴手段６１による断続音または表示手段６０による点滅表示などにより警報を発するようにしたことから、洗濯機の基本機能として備えている表示手段６０または吹鳴手段６１で警報を発することができ、新たに部材を付加する必要がない。
【００４２】
また記録手段６２についても、洗濯機の運転回数、異常履歴の記録などですでに使用されている構成であるため、費用を新たに付加する必要がない。
【００４３】
以上のように本実施の形態によれば、停電発生後の電源ＯＮ時に蓋開閉検知手段が蓋の開扉を検知したとき、制御装置５３がリセット状態になっても、洗濯兼脱水槽７０が回転し続けうる間、警報を発するので、使用者に確実に注意を喚起することにより、より安全に洗濯機を使用することができ、蓋５１の開閉検知に磁力線を使うので水や汚れに強く信頼性が高く、警報は表示素子とブザーを使うので新たに追加する必要がなく、実用性に優れた危険除去装置を提供できる。
【００４４】
なお、本実施の形態では、モータ５６は、インダクションモータで構成した例を示しているが、整流子モータなどであってもよい。
【産業上の利用可能性】
【００４５】
本発明にかかる洗濯機は、停電発生後の電源ＯＮ時に蓋開閉検知手段が蓋の開扉を検知したとき、所定時間警報を発するので、使用者に確実に注意を喚起することにより、不安全行為を事前に防ぐことができるので、回転構造を有する遠心脱水機等の用途にも適用できる。
【図面の簡単な説明】
【００４６】
【図１】本発明の実施の形態における洗濯機の断面図
【図２】同洗濯機の制御ブロック回路図
【図３】従来の洗濯機の断面図
【図４】同洗濯機の制御ブロック回路図
【符号の説明】
【００４７】
５１  蓋
５５  蓋開閉検知手段
５６  モータ
５８  制御手段
６０  表示手段（警報手段）
６１  吹鳴手段（警報手段）
６２  記録手段
６６  回転数検知手段
７０  洗濯兼脱水槽
７１  水受け槽
７５  ブレーキ
【図１】
2010099164.tif 000003
【図２】
2010099164.tif 000004
【図３】
2010099164.tif 000005
【図４】
2010099164.tif 000006